(57)【要約】【課題】調理の途中での加熱の停止を確実に誰でも簡単に行うことができる。【解決手段】加熱調理が開始され、調理メニューあるいは調理条件が確定されると、数字キー１９の機能が「加熱調理動作の停止」に変更されると共に、各キー９〜１８には機能「加熱調理動作の停止」を表す表記「１/ＳＴＯＰ」〜「０/ＳＴＯＰ」が切り換え表示される。したがって、世界中でごく一般的に使用されている英単語「ＳＴＯＰ」の意味を理解できる人であれば、各キー９〜１８は「加熱調理動作の停止」キーとして機能することが一目で理解することができる。こうして、加熱調理器の操作に慣れていないアルバイトやパートや外国人であっても、異常時における調理途中での加熱の停止を、確実に且つ簡単に行うことができる。【選択図】図４
2013029287.tif 000002
【特許請求の範囲】
【請求項１】
加熱調理を行うための加熱室と、
上記加熱室内の食材を加熱する加熱部と、
夫々本来の機能を有する複数の操作部と、
上記加熱部による加熱動作を上記操作部からの入力に応じて制御する加熱制御手段と、
上記加熱制御手段によって上記加熱部の加熱動作が開始されると、上記複数の操作部のうちの少なくとも一つの本来の加熱停止以外の機能を有する操作部を、加熱停止の機能を有するように操作部の機能を変更する操作部機能変更手段と
を備えたことを特徴とする加熱調理器。
【請求項２】
請求項１に記載の加熱調理器において、
上記操作部機能変更手段は、上記複数の操作部のうちの半数を超える操作部の機能を上記加熱停止の機能に変更するように制御する
ことを特徴とする加熱調理器。
【請求項３】
請求項１あるいは請求項２に記載の加熱調理器において、
複数の上記操作部の夫々に対応して機能を表示する表示部を有しており、
上記操作部機能変更手段によって機能が変更された操作部の上記表示部の表示を、上記本来の機能を表す表記から上記加熱停止の機能を表す表記に変更する表示変更手段
を備えたことを特徴とする加熱調理器。
【請求項４】
請求項３に記載の加熱調理器において、
上記表示変更手段は、上記操作部機能変更手段によって上記加熱停止の機能に機能が変更された複数の操作部の上記表示部の表示を、異なる言語で行う
ことを特徴とする加熱調理器。
【発明の詳細な説明】
【技術分野】
【０００１】
この発明は、操作部を有する加熱調理器に関する。
【背景技術】
【０００２】
従来、加熱調理器として特開２００４‐２１１９３４号公報(特許文献１)に開示された加熱調理器がある。
【０００３】
上記従来の加熱調理器においては、操作パネルの「メニュー設定」画面上でメニュー設定操作が行われ、操作部の１つであるスタートキーが押圧操作されると、マイクロコンピュータによってマイクロ波加熱手段あるいはヒータ加熱手段の駆動が開始される。
【０００４】
また、上記操作パネルには、上記スタートキーの他に、調理の停止や操作内容の取消を行うための取消キー、手動調理モードであるレンジ調理を選択するためのレンジキー、同じく手動調理モードであるオーブン調理を選択するためのオーブンキー等が設けられている。
【０００５】
しかしながら、上記従来の加熱調理器においては、以下のような問題がある。
【０００６】
すなわち、上記従来の加熱調理器においては、上記操作パネルに設けられた上記スタートキー,取消キー,レンジキーおよびオーブンキーの機能は、調理開始の前後で何ら変わることはない。したがって、加熱開始後に途中で加熱を停止させる場合には、上記「取消キー」を押圧するか、あるいは調理器の扉を開くことによって行う必要がある。
【０００７】
ところで、加熱室の内部で発火や発煙が起こった場合には、扉を開けずに加熱停止させる旨が取扱説明書等に明記されている場合がある。ところが、上記「取消キー」付近から発煙があった場合等には、使用者は上記「取消キー」を押圧することができないという問題がある。
【０００８】
また、幼児や外国人のように、上記操作パネルや各キーに表示された文字や記号を理解できないため、何れのキーが上記「取消キー」であるのかが判断できない場合がある。そのような場合には、何れのキーが上記「取消キー」であるのかが分からないために、被害が拡大するという問題がある。
【０００９】
尚、欧州の場合には多言語に対応するため、操作ボタンの表記が絵文字になっている。そして、取扱説明書は販売国全ての言語で記載されており、その他に注意書も販売国全ての言語で記載されて、電子レンジの見える箇所に表示するように警告している。しかしながら、発火や発煙等の緊急時に、販売国全ての言語で記載された取扱説明書や注意書から何れのキーが「取消キー」であるのかを瞬時に判断するのは難しい。
【先行技術文献】
【特許文献】
【００１０】
【特許文献１】特開２００４‐２１１９３４号公報
【発明の概要】
【発明が解決しようとする課題】
【００１１】
そこで、この発明の課題は、加熱調理開始後における調理の途中での加熱の停止を確実に、且つ誰でも簡単迅速に行うことができる加熱調理器を提供することにある。
【課題を解決するための手段】
【００１２】
上記課題を解決するため、この発明の加熱調理器は、
加熱調理を行うための加熱室と、
上記加熱室内の食材を加熱する加熱部と、
夫々本来の機能を有する複数の操作部と、
上記加熱部による加熱動作を上記操作部からの入力に応じて制御する加熱制御手段と、
上記加熱制御手段によって上記加熱部の加熱動作が開始されると、上記複数の操作部のうちの少なくとも一つの本来の加熱停止以外の機能を有する操作部を、加熱停止の機能を有するように操作部の機能を変更する操作部機能変更手段と
を備えたことを特徴としている。
【００１３】
上記構成によれば、加熱部の加熱動作が開始されると、操作部機能変更手段によって、本来の加熱停止以外の機能を有する操作部の機能が加熱停止の機能を有するように変更される。したがって、加熱調理開始後に加熱室の内部で発火や発煙等が発生した場合に、加熱調理の途中において、本来の加熱停止以外の機能を有する操作部を操作したとしても、当該操作部が加熱停止の機能を有するように機能が変更された操作部であれば、加熱部の加熱動作を停止させることができる。
【００１４】
したがって、加熱調理器の操作に慣れていないアルバイトやパートや外国人であるために、何れの操作部が本来の加熱停止の機能を有する操作部であるのかが分からない場合であっても、あるいは、本来の加熱停止の機能を有する操作部付近から発煙があった場合であっても、加熱調理の途中での加熱の停止を確実に、且つ簡単迅速に行うことができる。
【００１５】
また、１実施の形態の加熱調理器では、
上記操作部機能変更手段は、上記複数の操作部のうちの半数を超える操作部の機能を上記加熱停止の機能に変更するように制御する。
【００１６】
この実施の形態によれば、上記複数の操作部のうちの半数を超える操作部の機能を上記加熱停止の機能に変更するので、加熱調理の途中での加熱の停止を、より確実に、且つより簡単迅速に行うことができる。
【００１７】
また、１実施の形態の加熱調理器では、
複数の上記操作部の夫々に対応して機能を表示する表示部を有しており、
上記操作部機能変更手段によって機能が変更された操作部の上記表示部の表示を、上記本来の機能を表す表記から上記加熱停止の機能を表す表記に変更する表示変更手段
を備えている。
【００１８】
この実施の形態によれば、上記機能が変更された操作部における表示部の表示を、上記本来の機能を表す表記から上記加熱停止の機能を表す表記に変更するので、何れの操作部が加熱停止の機能を有するように機能が変更された操作部であるかを、上記表示部を見れば一目で分かり、且つ多くの操作部が上記加熱停止の機能を有することが分かる。したがって、加熱調理の途中での加熱の停止を、さらに確実に、さらに簡単迅速に行うことができる。
【００１９】
また、１実施の形態の加熱調理器では、
上記表示変更手段は、上記操作部機能変更手段によって上記加熱停止の機能に機能が変更された複数の操作部の上記表示部の表示を、異なる言語で行う。
【００２０】
この実施の形態によれば、上記加熱停止の機能に機能が変更された複数の操作部における夫々の上記表示部の表示を異なる言語で行うので、機能が変更された操作部の数と同数の言語で上記加熱停止の機能を表示することが可能になる。したがって、特に、多言語圏である欧州等において有効である。
【発明の効果】
【００２１】
以上より明らかなように、この発明の加熱調理器は、加熱部による加熱動作が開始されると、操作部機能変更手段により、本来の加熱停止以外の機能を有する操作部の機能が、加熱停止の機能を有するように変更されるので、加熱調理開始後に加熱室の内部で発火や発煙等が発生した場合には、本来の加熱停止以外の機能を有する操作部を操作したとしても、当該操作部が加熱停止の機能を有するように機能が変更された操作部であれば、加熱調理の途中で加熱部の加熱動作を停止させることができる。
【００２２】
したがって、この発明によれば、加熱調理器の操作に慣れていないアルバイトやパートや外国人が、何れの操作部が本来の加熱停止の機能を有する操作部であるのかが分からない場合であっても、あるいは、本来の加熱停止の機能を有する操作部付近から発煙があった場合であっても、加熱調理の途中での加熱の停止を確実に、且つ簡単迅速に行うことができる。
【図面の簡単な説明】
【００２３】
【図１】この発明の加熱調理器における前方から見た外観図である。
【図２】図１における操作キー部の拡大斜視図である。
【図３】図１における制御部の概略構成を示すブロック図である。
【図４】図１における操作キー部の表示例を示す図である。
【図５】図３におけるＣＰＵによって実行される「数字キーの機能設定処理動作」のフローチャートである。
【図６】図４とは異なる操作キー部の表示例を示す図である。
【図７】図４および図６とは異なる表示例を示す図である。
【発明を実施するための形態】
【００２４】
以下、この発明を図示の実施の形態により詳細に説明する。
【００２５】
・第１実施の形態
図１は、本実施の形態の加熱調理器における前方から見た外観図である。本加熱調理器１は、コンビニエンスストア等で使用される業務用加熱調理器であって、直方体形状のキャビネット２の正面の上部に操作キー部３を設置し、キャビネット２の正面における操作キー部３の下側には、左端側の辺を中心に回動して、加熱室(図示せず)を開閉する扉４を設けて概略構成されている。そして、扉４の右部にはハンドル５が設けられ、扉４には耐熱ガラス製の窓６が嵌め込まれている。さらに、操作キー部３における図中左側には液晶表示部７が設けられており、操作キー部３のキーを操作することによって、制御部８の制御の下に、操作に応じた内容が液晶表示部７に表示される。
【００２６】
ここで、本加熱調理器１は、マグネトロンで発生したマイクロ波によって被加熱物を加熱するものである。尚、上記マイクロ波による被加熱物の加熱構造については、従来のマイクロ波による加熱調理器と同様であり、例えば、上記加熱室の下部に配置されたマグネトロンで発生されたマイクロ波を、導波管によって上記加熱室の下部中央に導き、モータによって駆動される回転アンテナによって回転させながら上記加熱室内の上方に向かって放射するようにしている。
【００２７】
尚、本加熱調理器１においては、特に加熱部の構造を特定するものではない。上記マイクロ波による加熱に替えて、加熱ヒータや過熱蒸気等によって被加熱物を加熱する加熱部の構造であっても一向に構わない。
【００２８】
図２は、上記操作キー部３の拡大斜視図である。操作キー部３は、複数のキーが横方向に配列されて横長の棒状体に構成されており、その中央部には「１」から「０」までの数字が割り付けられた１０個のキー９,１０〜１８(以下、１０個のキー９,１０〜１８を総称する場合には数字キー１９と言う)が、一列に配列されている。ここで、数字キー１９の夫々には、複数の調理メニューが割り当てられている。そして、ある数字キー１９を押圧すると、押圧された回数に応じて調理メニューが選択され、選択された調理メニューに応じて、後に詳述するように制御部８によってマグネトロン駆動部が制御されて、選択された調理メニューに応じた出力電力と加熱時間とで、被加熱物に対する加熱処理動作が行われる。
【００２９】
ここで、上記数字キー１９の押圧によって選択された各調理メニューには、調理条件として加熱時間と出力デューティとが設定されている。そして、例えば、本加熱調理器１における最大出力が１９００Ｗであるとし、選択された調理メニューの調理条件として加熱時間「１０秒」と出力デューティ「１００％」とが設定されているとした場合には、１９００Ｗの出力で１０秒間加熱処理が行われる。
【００３０】
尚、上記操作キー部３におけるキー２０は、調理時間を２倍/３倍にする「×２/×３」キーである。また、キー２１は、解凍専用の「エクスプレスデフロスト」キーである。また、キー２２は、調理終了等を音声出力するスピーカ(図示せず)の音量等を設定する「カスタムヘルプ」キーである。また、キー２３は、例えば操作キー部３の各キーの操作によって設定された事項をメモリにセットする「セットメモリ」キーである。また、キー２４は、数字キー１９の操作によって選択された調理メニューを確定する、あるいは、上記調理条件をマニュアル設定した場合に加熱調理を確定して開始させるための「スタート」キーである。
【００３１】
また、キー２５は、選択された調理メニューが確定される前に操作された場合には、数字キー１９の操作によって選択された調理メニューを解除する一方、選択された調理メニューが確定された後に操作された場合には、開始された加熱調理を途中停止する「ストップ/クリア」キーである。また、キー２６は、所望の加熱時間をマニュアル設定する場合に時間設定を指定するための「セレクトタイム」キーである。また、キー２７は、所望の出力デューティをマニュアル設定する場合に出力デューティ設定を指定するための「セレクトパワー」キーである。
【００３２】
ここで、本加熱調理器１においては、上述したように、数字キー１９の夫々には、複数の調理メニューが割り当てられている。そして、ある数字キー１９を押圧すると、押圧された回数に応じて調理メニューが選択され、選択された調理メニューに応じて制御部８によってマグネトロン駆動部が制御されて自動的に加熱処理動作が開始されるようになっている。そして、「スタート」キー２４の押圧によって調理メニューが確定される前、あるいは、予め設定された設定時間が経過して調理メニューが確定する前に、再度数字キー１９を押圧すると調理メニューが変更可能になっている。
【００３３】
したがって、その場合には、上記選択された調理メニューが確定される前に「ストップ/クリア」キー２５が押圧されると、上記選択された調理メニューが解除される。一方、上記選択された調理メニューが確定された後に「ストップ/クリア」キー２５が押圧されると、上記確定された加熱調理が途中停止されるのである。
【００３４】
また、本加熱調理器１は、上記数字キー１９の夫々に割り当てられた調理メニューによらずに、加熱調理を行うことも可能になっている。その場合には、「セレクトタイム」キー２６あるいは「セレクトパワー」キー２７が押圧される。それと同時に、数字キー１９の各キー９〜１８は、調理メニューの割り当てが解除される。また、「スタート」キー２４は、上記設定された調理条件を確定して開始するキーとして機能するように、機能変更される。
【００３５】
そして、上記「セレクトタイム」キー２６を押圧して、数字キー１９から所望の加熱時間をマニュアル入力し、「スタート」キー２４を押圧することによって、上記設定された所望の加熱時間での加熱調理が確定されて開始される。あるいは、「セレクトパワー」キー２７を押圧して、数字キー１９から所望の出力デューティをマニュアル入力し、「スタート」キー２４を押圧することによって、上記設定された所望の出力デューティでの加熱調理が確定されて開始される。
【００３６】
したがって、その場合には、加熱調理が開始された後に「ストップ/クリア」キー２５が押圧されると、上記開始された加熱調理が途中停止されるのである。
【００３７】
本実施の形態における特徴は、図２に示す上記数字キー１９における各キー９〜１８の機能を、数字キー１９で選択された調理メニューあるいはマニュアル設定された上記調理条件が確定された後には、数字入力キーとしての本来の機能から加熱調理動作の途中停止キーの機能に、機能変更することである。この数字キー１９の機能切り換えは、後に詳述するように制御部８によって行われる。
【００３８】
図３は、上記構成を有する加熱調理器１の制御部８における概略構成を示すブロック図である。
【００３９】
上記制御部８は、ＣＰＵ(中央演算処理装置)３１と、ＲＯＭ(リード・オンリ・メモリ)３２と、ＲＡＭ(ランダム・アクセス・メモリ)３３とを含んで構成されている。ＲＯＭ３２には、ＣＰＵ３１が種々の調理メニューの加熱調理を実行するための加熱調理プログラムが格納されている。また、ＲＡＭ３３には、作業メモリが設定されると共に、調理メニューの選択時,数字キー１９の機能設定時あるいは加熱調理実行時に参照される参照データが格納されている。
【００４０】
また、上記制御部８には、上記数字キー１９、各種キー２０〜２３,２６,２７、「スタート」キー２４、「ストップ/クリア」キー２５、液晶表示部７、および、マグネトロン３５を駆動するマグネトロン駆動部３４が接続されている。さらに、温度センサー等の機器(図示せず)が接続されている。
【００４１】
そして、上記ＣＰＵ３１は、操作キー部３の数字キー１９が操作されると、ＲＡＭ３３に格納された参照データを参照して、ユーザにより指定された調理メニューを選択する。そして、ＲＯＭ３２に格納された加熱調理プログラムに従って、上記各機器から入力される入力データおよびＲＡＭ３３に格納された参照データを参照して、上記選択された調理メニューの加熱調理処理および各種データに対する二進加算,論理演算および比較等の演算処理等を実行する。
【００４２】
さらに、上記ＣＰＵ３１は、「電源がオンされる」と、「選択された調理メニューあるいはマニュアル設定された上記調理条件が確定される」と、および、「加熱調理が終了する」と、ＲＡＭ３３に格納された参照データを参照して、操作キー部３における数字キー１９の機能を設定すると共に、数字キー１９の表記を上記設定された機能を表す表記にする。
【００４３】
上記ＲＡＭ３３には、図３に示すように、上記電源オン時,調理メニューや上記調理条件の確定時および加熱調理終了時に参照される参照データの格納領域として、数字キー１９の機能を、インデックスと本加熱調理器１の動作状態とに対応付けて記憶しておくキー機能記憶部３６が設けられている。また、このキー機能記憶部３６に記憶された数字キー１９の機能の表記を、各キーの機能と対応付けて記憶しておく機能表記記憶部３７が設けられている。
【００４４】
また、上記ＲＡＭ３３には、上記調理メニューの選択時および加熱調理処理時に参照される参照データの格納領域として、調理メニューを数字キー１９と対応付けて記憶しておく調理メニュー記憶部３８が設けられている。さらに、加熱調理処理を実行する際に参照されるデータが一時格納される作業メモリ３９が設けられている。ここで、作業メモリ３９には、本加熱調理器１の動作状態を記録しておくためのフラグが含まれている。
【００４５】
以下、上記調理メニュー記憶部３８を参照して選択された調理メニューによる加熱調理をメモリ加熱調理という場合もある。これに対し、数字キー１９でマニュアル設定された上記調理条件での加熱調理をマニュアル加熱調理という場合もある。
【００４６】
上記ＣＰＵ３１は、ユーザによって電源がオンされると、ＲＡＭ３３のキー機能記憶部３６を参照して、本加熱調理器１の動作状態が「電源オン」の場合における数字キー１９の各キー９〜１８の初期機能「数字入力」を得る。さらに、ＲＡＭ３３の機能表記記憶部３７を参照して、各キー９〜１８の初期機能「数字入力」を表す表記を得る。そして、図４(a)に示すように、各キー９〜１８本来の機能「数字入力」を表す数字「１」〜「０」が、各キー９〜１８の表面に設けられた表示画面に表示される。
【００４７】
その状態で、上記数字キー１９で選択された調理メニューあるいはマニュアル設定された上記調理条件が確定されると、ＲＡＭ３３のキー機能記憶部３６を参照して、本加熱調理器１の動作状態が「調理メニューあるいは上記調理条件の確定」の場合における数字キー１９の各キー９〜１８の機能「加熱調理動作の停止」を得る。さらに、ＲＡＭ３３の機能表記記憶部３７を参照して、各キー９〜１８の変更後の機能「加熱調理動作の停止」を表す表記を得る。そして、図４(b)に示すように、変更後の機能「加熱調理動作の停止」を表す表記「１/ＳＴＯＰ」〜「０/ＳＴＯＰ」が、各キー９〜１８の上記表示画面に切り換え表示される。
【００４８】
その状態で、上記数字キー１９で選択された調理メニューの加熱調理(メモリ加熱調理)あるいはマニュアル設定された上記調理条件での加熱調理(マニュアル加熱調理)が終了すると、ＲＡＭ３３のキー機能記憶部３６を参照して、本加熱調理器１の動作状態が「加熱調理の終了」の場合における各キー９〜１８の機能「数字入力」が得られる。さらに、ＲＡＭ３３の機能表記記憶部３７を参照して、各キー９〜１８における変更後の機能「数字入力」を表す表記が得られる。そして、図４(a)に示すように、機能「数字入力」を表す数字「１」〜「０」が、各キー９〜１８の上記表示画面に切り換え表示される。
【００４９】
こうして、次の加熱調理に備えて、上記数字キー１９の各キー９〜１８の機能が初期機能に戻り、各キー９〜１８の表示も初期機能を表す表記に戻るのである。
【００５０】
すなわち、本実施の形態においては、上記操作キー部３の各キーで上記特許請求の範囲の操作部を構成し、上記操作キー部３の表示画面で上記特許請求の範囲の上記表示部を構成し、上記ＣＰＵ３１で上記特許請求の範囲の加熱制御手段,操作部機能変更手段および表示変更手段を構成しているのである。
【００５１】
ここで、上記数字キー１９の各キー９〜１８の表示画面に対する機能を表す表記の切り換え表示は、少なくとも各キー９〜１８の表示画面を液晶表示可能な画面等にすることによって可能となる。
【００５２】
図５は、上記ＣＰＵ３１によって実行される「数字キーの機能設定処理動作」のフローチャートである。以下、簡単に説明する。ユーザによって本加熱調理器１の電源がオンされると「数字キーの機能設定処理動作」がスタートする。
【００５３】
ステップＳ1で、上記ＲＡＭ３３における作業メモリ３９の動作状態記録用のフラグおよびキー機能記憶部３６が参照されて、数字キー１９の各キー９〜１８における「電源オン」状態での初期機能「数字入力」が得られる。さらに、ステップＳ2で、ＲＡＭ３３の機能表記記憶部３７が参照されて、各キー９〜１８の初期機能「数字入力」を表す表記が得られる。そして、各キー９〜１８の上記表示画面に、初期機能「数字入力」を表す数字「１」〜「０」が表示される。尚、上記フラグには、ＣＰＵ３１によって上記「数字キーの機能設定処理動作」とは別に実行される「調理メニューの選択および加熱処理動作」の際に、本加熱調理器１の動作状態に応じて書き込まれる。
【００５４】
ステップＳ3で、上記数字キー１９が操作されたか否かが判別される。その結果、操作された場合にはステップＳ4に進む。ステップＳ4で、作業メモリ３９の上記フラグが参照されて、上記ステップＳ3における数字キー１９の操作は、上記メモリ加熱調理時における調理メニューの指定であるか否かが判別される。その結果、上記メモリ加熱調理であればステップＳ5に進み、上記メモリ加熱調理でなければ(つまり、マニュアル加熱調理時における上記調理条件の入力であれば)ステップＳ6に進む。
【００５５】
ステップＳ5で、上記制御部８に内蔵されている計時部(図示せず)等を用いて、上記メモリ加熱調理が開始されてから、予め設定された上記設定時間が経過したか否かが判別される。その結果、経過していれば上記メモリ加熱調理の調理メニューが確定されたのでステップＳ7に進む一方、経過していなければ上記ステップＳ6に進む。ステップＳ6で、スタートキー２４が操作されたか否かが判別される。その結果、操作されていれば上記メモリ加熱調理の調理メニューあるいは上記マニュアル加熱調理の上記調理条件が確定されたのでステップＳ7に進む一方、操作されていなければ上記ステップＳ4にリターンする。
【００５６】
ステップＳ7で、上記ＲＡＭ３３における作業メモリ３９の上記フラグおよびキー機能記憶部３６が参照されて、数字キー１９における各キー９〜１８の機能が「調理メニューあるいは調理条件の確定」状態での機能「加熱調理動作の停止」に変更される。さらに、ステップＳ8で、ＲＡＭ３３の機能表記記憶部３７が参照されて、各キー９〜１８の機能「加熱調理動作の停止」を表す表記が得られる。そして、各キー９〜１８の上記表示画面の表示が、機能「加熱調理動作の停止」を表す表記「１/ＳＴＯＰ」〜「０/ＳＴＯＰ」に変更される。
【００５７】
ステップＳ9で、上記作業メモリ３９の上記フラグが参照されて、上記ステップＳ6において確定された上記メモリ加熱調理あるいは上記マニュアル加熱調理が終了したか否かが判別される。その結果、終了している場合にはステップＳ10に進む。
【００５８】
ステップＳ10で、上記ＲＡＭ３３における作業メモリ３９の上記フラグおよびキー機能記憶部３６が参照されて、数字キー１９の各キー９〜１８の機能が「加熱調理の終了」状態での機能「数字入力」に変更される。さらに、ステップＳ11で、ＲＡＭ３３の機能表記記憶部３７が参照されて、各キー９〜１８の機能「数字入力」を表す表記が得られる。そして、各キー９〜１８の上記表示画面の表示が、上記機能「数字入力」を表す数字「１」〜「０」に変更される。
【００５９】
そうした後、数字キーの機能設定処理動作が終了される。ここで、上記ステップＳ3にリターンして、上記数字キー１９が操作されるまで待機するようにしても構わない。
【００６０】
以上のごとく、本実施の形態においては、上記メモリ加熱調理あるいは上記マニュアル加熱調理が開始され、上記選択された調理メニューあるいは上記マニュアル設定された調理条件が確定されると、数字キー１９の機能が「加熱調理動作の停止」に変更されると共に、各キー９〜１８には機能「加熱調理動作の停止」を表す表記「１/ＳＴＯＰ」〜「０/ＳＴＯＰ」が切り換え表示される。
【００６１】
この場合、上記数字キー１９の各キー９〜１８の表示画面には総て「ＳＴＯＰ」の文字が表示されている。そのため、世界中でごく一般的に使用されている英単語「ＳＴＯＰ」の意味を理解できる人であれば、各キー９〜１８は、元々表面に「ＳＴＯＰ」の文字が表示されている「ストップ/クリア」キー２５と共に、「加熱調理動作の停止」キーとして機能することが一目で理解することができる。したがって、本加熱調理器１の操作に慣れていないアルバイトやパートや外国人であっても、何れのキーが「加熱調理動作の停止」キーとして機能するのかを即座に判断することができるのである。
【００６２】
すなわち、本実施の形態によれば、加熱調理開始後における調理途中での加熱停止を、確実に且つ誰でも簡単に行うことができる加熱調理器を提供することができるのである。
【００６３】
尚、本実施の形態においては、上記数字キー１９における総てのキー９〜１８の表面に同一の文字「ＳＴＯＰ」を表示するようにしている。しかしながら、この発明はこれに限定するものではなく、各キー９〜１８の夫々に「ＳＴＯＰ」を表す異なる言語を割り当てることも可能である。例えば、
キー  ９  …  「１/停止」(日本語)
キー１０  …  「２/ＳＴＯＰ」(英語)
：    …  「３/ＡＲＲＥ^Ｔ」(フランス語)
キー１２  …  「４/ＨＡＬＴ」(ドイツ語)
：    …  「５/ＦＥＲＭＡＴＡ」(イタリア語)
：    …  「６/ＰＡＲＡＤＡ」(スペイン語)
：    …              ：
のごとく割り当てるのである。こうすれば、１０通りの言語で表示することができ、多言語圏である欧州においては特に有効である。
【００６４】
また、上記各キー９〜１８の夫々に「ＳＴＯＰ」を表す絵や記号を表示することも可能である。その場合には、幼児の場合でも、調理途中での加熱の停止を簡単に行うことができる。
【００６５】
尚、本実施の形態においては、この発明を、キャビネット２の正面の上部に設置された操作キー部３を有する加熱調理器１を例に、各キーに対する機能設定および機能表示に付いて説明している。しかしながら、操作キー部の構成は、操作キー部３の構成に限定されるものではない。
【００６６】
例えば、図６は、本実施の形態における変形例として、直方体形状のキャビネットの正面の右側あるいは左側に設置される操作キー部４１の例を示す。操作キー部４１は、各キーが主に縦に配列されている点以外は、上記実施の形態における操作キー部３と同様の機能を有している。但し、操作キー部４１では、欧州での使用を想定して、全体が英語表記になっている。
【００６７】
すなわち、上記操作キー部４１の図中上側には液晶表示部４２が設けられている。この液晶表示部４２は、操作キー部３における液晶表示部７に対応する。また、操作キー部４１の中央部には「１」から「０」までの数字が割り付けられた１０個のキー４３,４４〜４６(以下、１０個のキー４３,４４〜４６を総称して数字キー４７と言う)が、一列に配列されている。この各キー４３,４４〜４６および数字キー４７は、操作キー部３における各キー９,１０〜１８および数字キー１９に対応する。
【００６８】
また、上記操作キー部４１における「ダブル クオンティティ」キー４８は、操作キー部３における「×２/×３」キー２０に対応する。「エクスプレスデフロスト」キー４９は、操作キー部３における「エクスプレスデフロスト」キー２１に対応する。「セレクト タイム」キー５０は、操作キー部３における「セレクトタイム」キー２６に対応する。「セレクトパワー」キー５１は、操作キー部３における「セレクトパワー」キー２７に対応する。「ストップ/クリア」キー５２は、操作キー部３における「ストップ/クリア」キー２５に対応する。「スタート」キー５３、操作キー部３における「スタート」キー２４に対応する。
【００６９】
尚、図６(a)は、上記各キー４３〜４６の表面に、機能「数字入力」を表す数字「１」〜「０」が表示された状態を示す。また、図６(b)は、各キー４３〜４６の表面に、機能「加熱調理動作の停止」を表す表記「１/ＳＴＯＰ」〜「０/ＳＴＯＰ」が表示された状態を示す。
【００７０】
尚、本実施の形態においては、機能「加熱調理動作の停止」を表す表記として「１/ＳＴＯＰ」〜「０/ＳＴＯＰ」を用いているが、この表記が表示される時点では選択された調理メニューあるいはマニュアル設定された上記調理条件が確定されており、数字キー１９,４７は数字入力機能を有してはいない。そこで、機能「加熱調理動作の停止」を表す表記として「ＳＴＯＰ」を用いても構わない。
【００７１】
・第２実施の形態
ところで、上記第１実施の形態における加熱調理器１においては、ある数字キー１９の押圧回数に応じて調理メニューが選択されるようにしている。そこで、調理メニューが確定する前には数字キー１９の再度の押圧を可能にするために、上述のように、加熱調理器１の動作状態が「調理メニューあるいは上記調理条件の確定」になると、数字キー１９の機能を「加熱調理動作の停止」に変更するようにしている。
【００７２】
ところが、その場合には、加熱調理器１の動作状態が「調理メニューあるいは上記調理条件の確定」となる前の異常には、対処できないことになる。
【００７３】
本実施の形態は、加熱調理器の動作状態が「調理メニューの確定」となる前の異常にも対処できるようにしたものである。
【００７４】
ここで、本実施の形態における加熱調理器の構成および処理動作は、上記第１実施の形態における加熱調理器１の場合と同様である。そこで、上記第１実施の形態の加熱調理器１と同じ部材には同じ番号を付して、詳細な説明は省略する。
【００７５】
図７は、本実施の形態における加熱調理器の動作状態が「メモリ加熱調理の開始」である場合の操作キー部の表示例を示す。但し、図７(a)は、キャビネットの正面の上部に設置された図２と同じ操作キー部である。以下、この操作キー部を操作キー部３と言う。また、図７(b)は、キャビネットの正面の右側あるいは左側に設置された図６と同じ操作キー部である。以下、この操作キー部を操作キー部４１と言う。何れの操作キー部３,４１の場合も、初期機能を表す表記での表示は、上記第１実施の形態の場合(図４(a)および図６(a))と同様である。
【００７６】
本実施の形態においては、図７に示すように、上記第１実施の形態における図４および図６に示す数字キー１９,４７の各キー９〜１８,４３〜４６および「ストップ/クリア」キー２５,５２の表示に加えて、「ストップ/クリア」キー２５,５２の「ＳＴＯＰ」の表示領域にストップランプａを設ける一方、数字キー１９,４７の各キー９〜１８,４３〜４６の「ＳＴＯＰ」の表示領域にはストップランプｂを設けている。そして、ストップランプａあるいはストップランプｂが点灯している場合に、点灯しているキーが「加熱調理動作の停止」キーとして機能するようになっている。
【００７７】
以下、図７(a)に示すキャビネットの正面の上部に設置された操作キー部３の場合を例に上げて、本実施の形態を説明する。
【００７８】
ここで、本実施の形態においては、上記「メモリ加熱調理」の場合と、上記「マニュアル加熱調理」の場合とで、各キーの表示動作は異なっている。
【００７９】
先ず、加熱調理器の動作状態が「メモリ加熱調理の開始」の場合には、図４(b)と同様に、各キー９〜１８の表面に「１/ＳＴＯＰ」〜「０/ＳＴＯＰ」が切り換え表示される。それと同時に、「ストップ/クリア」キー２５のストップランプａのみが点灯される。こうして、「ストップ/クリア」キー２５のみが「加熱調理動作の停止」キーとして機能することを表示するのである。この場合、ストップランプｂは点灯せず、上記選択された調理メニューが確定される前であるため数字キー１９は「加熱調理動作の停止」キーとして機能することはなく、再度数字キー１９を押圧すると調理メニューが変更可能であることを表示している。
【００８０】
そして、上記加熱調理器の動作状態が「選択された調理メニューの確定」の場合には、数字キー１９の各キー９〜１８のストップランプｂも点灯される。こうして、上記選択された調理メニューが確定されたために、数字キー１９も「加熱調理動作の停止」キーとして機能することを表示している。
【００８１】
これに対し、上記加熱調理器の動作状態が「マニュアル加熱調理の開始」の場合には、図４(b)と同様に、「１/ＳＴＯＰ」〜「０/ＳＴＯＰ」が対応するキー９〜１８の表面に切り換え表示される。それと同時に、「ストップ/クリア」キー２５のストップランプａおよび数字キー１９の各キー９〜１８のストップランプｂが共に点灯される。こうして、数字キー１９および「ストップ/クリア」キー２５が、共に「加熱調理動作の停止」キーとして機能することを表示するのである。
【００８２】
図７(b)に示すキャビネットの正面の右側あるいは左側に設置された操作キー部４１の場合も、表示動作は操作キー部３の場合と同様である。
【００８３】
すなわち、本実施の形態においては、上記ストップランプａ,ｂで、上記特許請求の範囲の上記表示部を構成しているのである。
【００８４】
ここで、上記「ストップ/クリア」キー２５,５２のストップランプａおよび数字キー１９,４７の各キー９〜１８,４３〜４６のストップランプｂは、各キーの表面に形成された液晶表示画面に設けられた１つの表示領域で構成してもよいし、上記液晶表示画面に埋め込まれたＬＥＤ(発光ダイオード)ランプ等で構成してもよい。
【００８５】
以上のごとく、本実施の形態においては、上記数字キー１９,４７から選択された調理メニューが確定される前には、「ストップ/クリア」キー２５,５２のみが「加熱調理動作の停止」キーとして機能することを表示する一方、上記選択された調理メニューが確定された後には、数字キー１９,４７および「ストップ/クリア」キー２５,５２が共に「加熱調理動作の停止」キーとして機能することを表示するようにしている。したがって、上記選択された調理メニューが確定される前であっても、「ストップ/クリア」キー２５,５２のみが「加熱調理動作の停止」キーとして機能することが、ストップランプａの点灯によって一目で分かるのである。
【００８６】
尚、上記第２実施の形態においては、上記「加熱調理動作の停止」キーとして機能しているキーが一目で分かるようにするために、各キーにおける「ＳＴＯＰ」の表示領域にストップランプａ,ｂを設けている。しかしながら、この発明はこれに限定されるものではなく、「加熱調理動作の停止」キーとして機能しているキーの機能表示面の地の部分を点滅させたり地の色を変化させたりすることによって、「加熱調理動作の停止」キーとして機能していることを強調してもよい。
【００８７】
また、上記各実施の形態においては、上記メモリ加熱調理時の調理メニューあるいは上記マニュアル加熱調理時の上記調理条件が確定された後に、上記数字キー１９,４７のみに「加熱調理動作の停止」機能を持たせるようにしている。しかしながら、この発明は数字キー１９,４７に限定されるものではなく、他のキーや、「スタート」キー２４,５３および「ストップ/クリア」キー２５,５２を除く総てのキーに、「加熱調理動作の停止」機能を持たせるようにしても一向に差し支えない。要は、上記調理メニューあるいは上記調理条件が確定された後に操作されることがないキーであれば、「加熱調理動作の停止」機能を持たせるが可能なのである。その場合、複数のキーのうちの半数を超えるキーの機能を「加熱調理動作の停止」機能に変更するのが望ましい。
【００８８】
さらに、上記「スタート」キー２４,５３および「ストップ/クリア」キー２５,５２を除く総てのキーに「加熱調理動作の停止」機能を持たせる場合には、殆ど全部のキーの機能が変更されるので、必ずしも上記表示部に変更された機能を表す表記を表示する必要はない。
【００８９】
また、上記各実施の形態においては、上記メモリ加熱調理時に、数字キー１９,４７で調理メニューを選択すると自動的に加熱処理動作が開始されるようにしているが、「スタート」キー２４,５３を押圧して調理メニューを確定しないと加熱処理動作が開始しないようにしても構わない。その場合には、「スタート」キー２４,５３を押圧して加熱処理動作が開始されると、数字キー１９,４７の各キー９〜１８,４３〜４６の機能を「加熱調理動作の停止」に変更する必要がある。
【００９０】
また、上記各実施の形態においては、上記操作部を、操作キー部３,４１に設けられた複数のキーの夫々で構成している。しかしながら、この発明はこれに限定されるものではなく、表面に表示部を設けた押しボタンや、タッチパネルの個々のタッチ部で構成しても差し支えない。
【符号の説明】
【００９１】
１…加熱調理器、
２…キャビネット、
３,４１…操作キー部、
８…制御部、
９〜１８,４３〜４６…キー、
１９,４７…数字キー、
２４,５３…「スタート」キー、
２５,５２…「ストップ/クリア」キー、
２６,５０…「セレクトタイム」キー、
２７,５１…「セレクトパワー」キー、
３１…ＣＰＵ、
３２…ＲＯＭ、
３３…ＲＡＭ、
３４…マグネトロン駆動部、
３６…キー機能記憶部、
３７…機能表記記憶部、
３８…調理メニュー記憶部、
３９…作業メモリ。
【図１】
2013029287.tif 000003
【図２】
2013029287.tif 000004
【図３】
2013029287.tif 000005
【図４】
2013029287.tif 000006
【図５】
2013029287.tif 000007
【図６】
2013029287.tif 000008
【図７】
2013029287.tif 000009
【手続補正書】
【提出日】平成24年11月1日(2012.11.1)
【手続補正１】
【補正対象書類名】特許請求の範囲
【補正対象項目名】全文
【補正方法】変更
【補正の内容】
【特許請求の範囲】
【請求項１】
加熱調理を行うための加熱室と、
上記加熱室内の食材を加熱する加熱部と、
夫々本来の機能を有する複数の操作部と、
上記加熱部による加熱動作を上記操作部からの入力に応じて制御する加熱制御手段と、
上記加熱制御手段によって上記加熱部の加熱動作が開始されると、上記複数の操作部のうちの少なくとも一つの本来の加熱停止以外の機能を有する操作部を、加熱停止の機能を有するように操作部の機能を変更する操作部機能変更手段と
を備え、
上記操作部機能変更手段は、上記複数の操作部のうちの半数を超える操作部の機能を上記加熱停止の機能に変更するように制御する
ことを特徴とする加熱調理器。
【請求項２】
請求項１に記載の加熱調理器において、
複数の上記操作部の夫々に対応して機能を表示する表示部を有しており、
上記操作部機能変更手段によって機能が変更された操作部の上記表示部の表示を、上記本来の機能を表す表記から上記加熱停止の機能を表す表記に変更する表示変更手段
を備えたことを特徴とする加熱調理器。
【請求項３】
請求項２に記載の加熱調理器において、
上記表示変更手段は、上記操作部機能変更手段によって上記加熱停止の機能に機能が変更された複数の操作部の上記表示部の表示を、異なる言語で行う
ことを特徴とする加熱調理器。
【手続補正２】
【補正対象書類名】明細書
【補正対象項目名】全文
【補正方法】変更
【補正の内容】
【発明の詳細な説明】
【技術分野】
【０００１】
この発明は、操作部を有する加熱調理器に関する。
【背景技術】
【０００２】
従来、加熱調理器として特開２００４‐２１１９３４号公報(特許文献１)に開示された加熱調理器がある。
【０００３】
上記従来の加熱調理器においては、操作パネルの「メニュー設定」画面上でメニュー設定操作が行われ、操作部の１つであるスタートキーが押圧操作されると、マイクロコンピュータによってマイクロ波加熱手段あるいはヒータ加熱手段の駆動が開始される。
【０００４】
また、上記操作パネルには、上記スタートキーの他に、調理の停止や操作内容の取消を行うための取消キー、手動調理モードであるレンジ調理を選択するためのレンジキー、同じく手動調理モードであるオーブン調理を選択するためのオーブンキー等が設けられている。
【０００５】
しかしながら、上記従来の加熱調理器においては、以下のような問題がある。
【０００６】
すなわち、上記従来の加熱調理器においては、上記操作パネルに設けられた上記スタートキー,取消キー,レンジキーおよびオーブンキーの機能は、調理開始の前後で何ら変わることはない。したがって、加熱開始後に途中で加熱を停止させる場合には、上記「取消キー」を押圧するか、あるいは調理器の扉を開くことによって行う必要がある。
【０００７】
ところで、加熱室の内部で発火や発煙が起こった場合には、扉を開けずに加熱停止させる旨が取扱説明書等に明記されている場合がある。ところが、上記「取消キー」付近から発煙があった場合等には、使用者は上記「取消キー」を押圧することができないという問題がある。
【０００８】
また、幼児や外国人のように、上記操作パネルや各キーに表示された文字や記号を理解できないため、何れのキーが上記「取消キー」であるのかが判断できない場合がある。そのような場合には、何れのキーが上記「取消キー」であるのかが分からないために、被害が拡大するという問題がある。
【０００９】
尚、欧州の場合には多言語に対応するため、操作ボタンの表記が絵文字になっている。そして、取扱説明書は販売国全ての言語で記載されており、その他に注意書も販売国全ての言語で記載されて、電子レンジの見える箇所に表示するように警告している。しかしながら、発火や発煙等の緊急時に、販売国全ての言語で記載された取扱説明書や注意書から何れのキーが「取消キー」であるのかを瞬時に判断するのは難しい。
【先行技術文献】
【特許文献】
【００１０】
【特許文献１】特開２００４‐２１１９３４号公報
【発明の概要】
【発明が解決しようとする課題】
【００１１】
そこで、この発明の課題は、加熱調理開始後における調理の途中での加熱の停止を確実に、且つ誰でも簡単迅速に行うことができる加熱調理器を提供することにある。
【課題を解決するための手段】
【００１２】
上記課題を解決するため、この発明の加熱調理器は、
加熱調理を行うための加熱室と、
上記加熱室内の食材を加熱する加熱部と、
夫々本来の機能を有する複数の操作部と、
上記加熱部による加熱動作を上記操作部からの入力に応じて制御する加熱制御手段と、
上記加熱制御手段によって上記加熱部の加熱動作が開始されると、上記複数の操作部のうちの少なくとも一つの本来の加熱停止以外の機能を有する操作部を、加熱停止の機能を有するように操作部の機能を変更する操作部機能変更手段と
を備え、
上記操作部機能変更手段は、上記複数の操作部のうちの半数を超える操作部の機能を上記加熱停止の機能に変更するように制御する
ことを特徴としている。
【００１３】
上記構成によれば、加熱部の加熱動作が開始されると、操作部機能変更手段によって、本来の加熱停止以外の機能を有する操作部の機能が加熱停止の機能を有するように変更される。したがって、加熱調理開始後に加熱室の内部で発火や発煙等が発生した場合に、加熱調理の途中において、本来の加熱停止以外の機能を有する操作部を操作したとしても、当該操作部が加熱停止の機能を有するように機能が変更された操作部であれば、加熱部の加熱動作を停止させることができる。
【００１４】
したがって、加熱調理器の操作に慣れていないアルバイトやパートや外国人であるために、何れの操作部が本来の加熱停止の機能を有する操作部であるのかが分からない場合であっても、あるいは、本来の加熱停止の機能を有する操作部付近から発煙があった場合であっても、加熱調理の途中での加熱の停止を確実に、且つ簡単迅速に行うことができる。
【００１５】
【００１６】
さらに、上記複数の操作部のうちの半数を超える操作部の機能を上記加熱停止の機能に変更するので、加熱調理の途中での加熱の停止を、より確実に、且つより簡単迅速に行うことができる。
【００１７】
また、１実施の形態の加熱調理器では、
複数の上記操作部の夫々に対応して機能を表示する表示部を有しており、
上記操作部機能変更手段によって機能が変更された操作部の上記表示部の表示を、上記本来の機能を表す表記から上記加熱停止の機能を表す表記に変更する表示変更手段
を備えている。
【００１８】
この実施の形態によれば、上記機能が変更された操作部における表示部の表示を、上記本来の機能を表す表記から上記加熱停止の機能を表す表記に変更するので、何れの操作部が加熱停止の機能を有するように機能が変更された操作部であるかを、上記表示部を見れば一目で分かり、且つ多くの操作部が上記加熱停止の機能を有することが分かる。したがって、加熱調理の途中での加熱の停止を、さらに確実に、さらに簡単迅速に行うことができる。
【００１９】
また、１実施の形態の加熱調理器では、
上記表示変更手段は、上記操作部機能変更手段によって上記加熱停止の機能に機能が変更された複数の操作部の上記表示部の表示を、異なる言語で行う。
【００２０】
この実施の形態によれば、上記加熱停止の機能に機能が変更された複数の操作部における夫々の上記表示部の表示を異なる言語で行うので、機能が変更された操作部の数と同数の言語で上記加熱停止の機能を表示することが可能になる。したがって、特に、多言語圏である欧州等において有効である。
【発明の効果】
【００２１】
以上より明らかなように、この発明の加熱調理器は、加熱部による加熱動作が開始されると、操作部機能変更手段により、本来の加熱停止以外の機能を有する操作部の機能が、加熱停止の機能を有するように変更されるので、加熱調理開始後に加熱室の内部で発火や発煙等が発生した場合には、本来の加熱停止以外の機能を有する操作部を操作したとしても、当該操作部が加熱停止の機能を有するように機能が変更された操作部であれば、加熱調理の途中で加熱部の加熱動作を停止させることができる。
【００２２】
したがって、この発明によれば、加熱調理器の操作に慣れていないアルバイトやパートや外国人が、何れの操作部が本来の加熱停止の機能を有する操作部であるのかが分からない場合であっても、あるいは、本来の加熱停止の機能を有する操作部付近から発煙があった場合であっても、加熱調理の途中での加熱の停止を確実に、且つ簡単迅速に行うことができる。
さらに、上記複数の操作部のうちの半数を超える操作部の機能を上記加熱停止の機能に変更するので、加熱調理の途中での加熱の停止を、より確実に、且つより簡単迅速に行うことができる。
【図面の簡単な説明】
【００２３】
【図１】この発明の加熱調理器における前方から見た外観図である。
【図２】図１における操作キー部の拡大斜視図である。
【図３】図１における制御部の概略構成を示すブロック図である。
【図４】図１における操作キー部の表示例を示す図である。
【図５】図３におけるＣＰＵによって実行される「数字キーの機能設定処理動作」のフローチャートである。
【図６】図４とは異なる操作キー部の表示例を示す図である。
【図７】図４および図６とは異なる表示例を示す図である。
【発明を実施するための形態】
【００２４】
以下、この発明を図示の実施の形態により詳細に説明する。
【００２５】
・第１実施の形態
図１は、本実施の形態の加熱調理器における前方から見た外観図である。本加熱調理器１は、コンビニエンスストア等で使用される業務用加熱調理器であって、直方体形状のキャビネット２の正面の上部に操作キー部３を設置し、キャビネット２の正面における操作キー部３の下側には、左端側の辺を中心に回動して、加熱室(図示せず)を開閉する扉４を設けて概略構成されている。そして、扉４の右部にはハンドル５が設けられ、扉４には耐熱ガラス製の窓６が嵌め込まれている。さらに、操作キー部３における図中左側には液晶表示部７が設けられており、操作キー部３のキーを操作することによって、制御部８の制御の下に、操作に応じた内容が液晶表示部７に表示される。
【００２６】
ここで、本加熱調理器１は、マグネトロンで発生したマイクロ波によって被加熱物を加熱するものである。尚、上記マイクロ波による被加熱物の加熱構造については、従来のマイクロ波による加熱調理器と同様であり、例えば、上記加熱室の下部に配置されたマグネトロンで発生されたマイクロ波を、導波管によって上記加熱室の下部中央に導き、モータによって駆動される回転アンテナによって回転させながら上記加熱室内の上方に向かって放射するようにしている。
【００２７】
尚、本加熱調理器１においては、特に加熱部の構造を特定するものではない。上記マイクロ波による加熱に替えて、加熱ヒータや過熱蒸気等によって被加熱物を加熱する加熱部の構造であっても一向に構わない。
【００２８】
図２は、上記操作キー部３の拡大斜視図である。操作キー部３は、複数のキーが横方向に配列されて横長の棒状体に構成されており、その中央部には「１」から「０」までの数字が割り付けられた１０個のキー９,１０〜１８(以下、１０個のキー９,１０〜１８を総称する場合には数字キー１９と言う)が、一列に配列されている。ここで、数字キー１９の夫々には、複数の調理メニューが割り当てられている。そして、ある数字キー１９を押圧すると、押圧された回数に応じて調理メニューが選択され、選択された調理メニューに応じて、後に詳述するように制御部８によってマグネトロン駆動部が制御されて、選択された調理メニューに応じた出力電力と加熱時間とで、被加熱物に対する加熱処理動作が行われる。
【００２９】
ここで、上記数字キー１９の押圧によって選択された各調理メニューには、調理条件として加熱時間と出力デューティとが設定されている。そして、例えば、本加熱調理器１における最大出力が１９００Ｗであるとし、選択された調理メニューの調理条件として加熱時間「１０秒」と出力デューティ「１００％」とが設定されているとした場合には、１９００Ｗの出力で１０秒間加熱処理が行われる。
【００３０】
尚、上記操作キー部３におけるキー２０は、調理時間を２倍/３倍にする「×２/×３」キーである。また、キー２１は、解凍専用の「エクスプレスデフロスト」キーである。また、キー２２は、調理終了等を音声出力するスピーカ(図示せず)の音量等を設定する「カスタムヘルプ」キーである。また、キー２３は、例えば操作キー部３の各キーの操作によって設定された事項をメモリにセットする「セットメモリ」キーである。また、キー２４は、数字キー１９の操作によって選択された調理メニューを確定する、あるいは、上記調理条件をマニュアル設定した場合に加熱調理を確定して開始させるための「スタート」キーである。
【００３１】
また、キー２５は、選択された調理メニューが確定される前に操作された場合には、数字キー１９の操作によって選択された調理メニューを解除する一方、選択された調理メニューが確定された後に操作された場合には、開始された加熱調理を途中停止する「ストップ/クリア」キーである。また、キー２６は、所望の加熱時間をマニュアル設定する場合に時間設定を指定するための「セレクトタイム」キーである。また、キー２７は、所望の出力デューティをマニュアル設定する場合に出力デューティ設定を指定するための「セレクトパワー」キーである。
【００３２】
ここで、本加熱調理器１においては、上述したように、数字キー１９の夫々には、複数の調理メニューが割り当てられている。そして、ある数字キー１９を押圧すると、押圧された回数に応じて調理メニューが選択され、選択された調理メニューに応じて制御部８によってマグネトロン駆動部が制御されて自動的に加熱処理動作が開始されるようになっている。そして、「スタート」キー２４の押圧によって調理メニューが確定される前、あるいは、予め設定された設定時間が経過して調理メニューが確定する前に、再度数字キー１９を押圧すると調理メニューが変更可能になっている。
【００３３】
したがって、その場合には、上記選択された調理メニューが確定される前に「ストップ/クリア」キー２５が押圧されると、上記選択された調理メニューが解除される。一方、上記選択された調理メニューが確定された後に「ストップ/クリア」キー２５が押圧されると、上記確定された加熱調理が途中停止されるのである。
【００３４】
また、本加熱調理器１は、上記数字キー１９の夫々に割り当てられた調理メニューによらずに、加熱調理を行うことも可能になっている。その場合には、「セレクトタイム」キー２６あるいは「セレクトパワー」キー２７が押圧される。それと同時に、数字キー１９の各キー９〜１８は、調理メニューの割り当てが解除される。また、「スタート」キー２４は、上記設定された調理条件を確定して開始するキーとして機能するように、機能変更される。
【００３５】
そして、上記「セレクトタイム」キー２６を押圧して、数字キー１９から所望の加熱時間をマニュアル入力し、「スタート」キー２４を押圧することによって、上記設定された所望の加熱時間での加熱調理が確定されて開始される。あるいは、「セレクトパワー」キー２７を押圧して、数字キー１９から所望の出力デューティをマニュアル入力し、「スタート」キー２４を押圧することによって、上記設定された所望の出力デューティでの加熱調理が確定されて開始される。
【００３６】
したがって、その場合には、加熱調理が開始された後に「ストップ/クリア」キー２５が押圧されると、上記開始された加熱調理が途中停止されるのである。
【００３７】
本実施の形態における特徴は、図２に示す上記数字キー１９における各キー９〜１８の機能を、数字キー１９で選択された調理メニューあるいはマニュアル設定された上記調理条件が確定された後には、数字入力キーとしての本来の機能から加熱調理動作の途中停止キーの機能に、機能変更することである。この数字キー１９の機能切り換えは、後に詳述するように制御部８によって行われる。
【００３８】
図３は、上記構成を有する加熱調理器１の制御部８における概略構成を示すブロック図である。
【００３９】
上記制御部８は、ＣＰＵ(中央演算処理装置)３１と、ＲＯＭ(リード・オンリ・メモリ)３２と、ＲＡＭ(ランダム・アクセス・メモリ)３３とを含んで構成されている。ＲＯＭ３２には、ＣＰＵ３１が種々の調理メニューの加熱調理を実行するための加熱調理プログラムが格納されている。また、ＲＡＭ３３には、作業メモリが設定されると共に、調理メニューの選択時,数字キー１９の機能設定時あるいは加熱調理実行時に参照される参照データが格納されている。
【００４０】
また、上記制御部８には、上記数字キー１９、各種キー２０〜２３,２６,２７、「スタート」キー２４、「ストップ/クリア」キー２５、液晶表示部７、および、マグネトロン３５を駆動するマグネトロン駆動部３４が接続されている。さらに、温度センサー等の機器(図示せず)が接続されている。
【００４１】
そして、上記ＣＰＵ３１は、操作キー部３の数字キー１９が操作されると、ＲＡＭ３３に格納された参照データを参照して、ユーザにより指定された調理メニューを選択する。そして、ＲＯＭ３２に格納された加熱調理プログラムに従って、上記各機器から入力される入力データおよびＲＡＭ３３に格納された参照データを参照して、上記選択された調理メニューの加熱調理処理および各種データに対する二進加算,論理演算および比較等の演算処理等を実行する。
【００４２】
さらに、上記ＣＰＵ３１は、「電源がオンされる」と、「選択された調理メニューあるいはマニュアル設定された上記調理条件が確定される」と、および、「加熱調理が終了する」と、ＲＡＭ３３に格納された参照データを参照して、操作キー部３における数字キー１９の機能を設定すると共に、数字キー１９の表記を上記設定された機能を表す表記にする。
【００４３】
上記ＲＡＭ３３には、図３に示すように、上記電源オン時,調理メニューや上記調理条件の確定時および加熱調理終了時に参照される参照データの格納領域として、数字キー１９の機能を、インデックスと本加熱調理器１の動作状態とに対応付けて記憶しておくキー機能記憶部３６が設けられている。また、このキー機能記憶部３６に記憶された数字キー１９の機能の表記を、各キーの機能と対応付けて記憶しておく機能表記記憶部３７が設けられている。
【００４４】
また、上記ＲＡＭ３３には、上記調理メニューの選択時および加熱調理処理時に参照される参照データの格納領域として、調理メニューを数字キー１９と対応付けて記憶しておく調理メニュー記憶部３８が設けられている。さらに、加熱調理処理を実行する際に参照されるデータが一時格納される作業メモリ３９が設けられている。ここで、作業メモリ３９には、本加熱調理器１の動作状態を記録しておくためのフラグが含まれている。
【００４５】
以下、上記調理メニュー記憶部３８を参照して選択された調理メニューによる加熱調理をメモリ加熱調理という場合もある。これに対し、数字キー１９でマニュアル設定された上記調理条件での加熱調理をマニュアル加熱調理という場合もある。
【００４６】
上記ＣＰＵ３１は、ユーザによって電源がオンされると、ＲＡＭ３３のキー機能記憶部３６を参照して、本加熱調理器１の動作状態が「電源オン」の場合における数字キー１９の各キー９〜１８の初期機能「数字入力」を得る。さらに、ＲＡＭ３３の機能表記記憶部３７を参照して、各キー９〜１８の初期機能「数字入力」を表す表記を得る。そして、図４(a)に示すように、各キー９〜１８本来の機能「数字入力」を表す数字「１」〜「０」が、各キー９〜１８の表面に設けられた表示画面に表示される。
【００４７】
その状態で、上記数字キー１９で選択された調理メニューあるいはマニュアル設定された上記調理条件が確定されると、ＲＡＭ３３のキー機能記憶部３６を参照して、本加熱調理器１の動作状態が「調理メニューあるいは上記調理条件の確定」の場合における数字キー１９の各キー９〜１８の機能「加熱調理動作の停止」を得る。さらに、ＲＡＭ３３の機能表記記憶部３７を参照して、各キー９〜１８の変更後の機能「加熱調理動作の停止」を表す表記を得る。そして、図４(b)に示すように、変更後の機能「加熱調理動作の停止」を表す表記「１/ＳＴＯＰ」〜「０/ＳＴＯＰ」が、各キー９〜１８の上記表示画面に切り換え表示される。
【００４８】
その状態で、上記数字キー１９で選択された調理メニューの加熱調理(メモリ加熱調理)あるいはマニュアル設定された上記調理条件での加熱調理(マニュアル加熱調理)が終了すると、ＲＡＭ３３のキー機能記憶部３６を参照して、本加熱調理器１の動作状態が「加熱調理の終了」の場合における各キー９〜１８の機能「数字入力」が得られる。さらに、ＲＡＭ３３の機能表記記憶部３７を参照して、各キー９〜１８における変更後の機能「数字入力」を表す表記が得られる。そして、図４(a)に示すように、機能「数字入力」を表す数字「１」〜「０」が、各キー９〜１８の上記表示画面に切り換え表示される。
【００４９】
こうして、次の加熱調理に備えて、上記数字キー１９の各キー９〜１８の機能が初期機能に戻り、各キー９〜１８の表示も初期機能を表す表記に戻るのである。
【００５０】
すなわち、本実施の形態においては、上記操作キー部３の各キーで上記特許請求の範囲の操作部を構成し、上記操作キー部３の表示画面で上記特許請求の範囲の上記表示部を構成し、上記ＣＰＵ３１で上記特許請求の範囲の加熱制御手段,操作部機能変更手段および表示変更手段を構成しているのである。
【００５１】
ここで、上記数字キー１９の各キー９〜１８の表示画面に対する機能を表す表記の切り換え表示は、少なくとも各キー９〜１８の表示画面を液晶表示可能な画面等にすることによって可能となる。
【００５２】
図５は、上記ＣＰＵ３１によって実行される「数字キーの機能設定処理動作」のフローチャートである。以下、簡単に説明する。ユーザによって本加熱調理器１の電源がオンされると「数字キーの機能設定処理動作」がスタートする。
【００５３】
ステップＳ1で、上記ＲＡＭ３３における作業メモリ３９の動作状態記録用のフラグおよびキー機能記憶部３６が参照されて、数字キー１９の各キー９〜１８における「電源オン」状態での初期機能「数字入力」が得られる。さらに、ステップＳ2で、ＲＡＭ３３の機能表記記憶部３７が参照されて、各キー９〜１８の初期機能「数字入力」を表す表記が得られる。そして、各キー９〜１８の上記表示画面に、初期機能「数字入力」を表す数字「１」〜「０」が表示される。尚、上記フラグには、ＣＰＵ３１によって上記「数字キーの機能設定処理動作」とは別に実行される「調理メニューの選択および加熱処理動作」の際に、本加熱調理器１の動作状態に応じて書き込まれる。
【００５４】
ステップＳ3で、上記数字キー１９が操作されたか否かが判別される。その結果、操作された場合にはステップＳ4に進む。ステップＳ4で、作業メモリ３９の上記フラグが参照されて、上記ステップＳ3における数字キー１９の操作は、上記メモリ加熱調理時における調理メニューの指定であるか否かが判別される。その結果、上記メモリ加熱調理であればステップＳ5に進み、上記メモリ加熱調理でなければ(つまり、マニュアル加熱調理時における上記調理条件の入力であれば)ステップＳ6に進む。
【００５５】
ステップＳ5で、上記制御部８に内蔵されている計時部(図示せず)等を用いて、上記メモリ加熱調理が開始されてから、予め設定された上記設定時間が経過したか否かが判別される。その結果、経過していれば上記メモリ加熱調理の調理メニューが確定されたのでステップＳ7に進む一方、経過していなければ上記ステップＳ6に進む。ステップＳ6で、スタートキー２４が操作されたか否かが判別される。その結果、操作されていれば上記メモリ加熱調理の調理メニューあるいは上記マニュアル加熱調理の上記調理条件が確定されたのでステップＳ7に進む一方、操作されていなければ上記ステップＳ4にリターンする。
【００５６】
ステップＳ7で、上記ＲＡＭ３３における作業メモリ３９の上記フラグおよびキー機能記憶部３６が参照されて、数字キー１９における各キー９〜１８の機能が「調理メニューあるいは調理条件の確定」状態での機能「加熱調理動作の停止」に変更される。さらに、ステップＳ8で、ＲＡＭ３３の機能表記記憶部３７が参照されて、各キー９〜１８の機能「加熱調理動作の停止」を表す表記が得られる。そして、各キー９〜１８の上記表示画面の表示が、機能「加熱調理動作の停止」を表す表記「１/ＳＴＯＰ」〜「０/ＳＴＯＰ」に変更される。
【００５７】
ステップＳ9で、上記作業メモリ３９の上記フラグが参照されて、上記ステップＳ6において確定された上記メモリ加熱調理あるいは上記マニュアル加熱調理が終了したか否かが判別される。その結果、終了している場合にはステップＳ10に進む。
【００５８】
ステップＳ10で、上記ＲＡＭ３３における作業メモリ３９の上記フラグおよびキー機能記憶部３６が参照されて、数字キー１９の各キー９〜１８の機能が「加熱調理の終了」状態での機能「数字入力」に変更される。さらに、ステップＳ11で、ＲＡＭ３３の機能表記記憶部３７が参照されて、各キー９〜１８の機能「数字入力」を表す表記が得られる。そして、各キー９〜１８の上記表示画面の表示が、上記機能「数字入力」を表す数字「１」〜「０」に変更される。
【００５９】
そうした後、数字キーの機能設定処理動作が終了される。ここで、上記ステップＳ3にリターンして、上記数字キー１９が操作されるまで待機するようにしても構わない。
【００６０】
以上のごとく、本実施の形態においては、上記メモリ加熱調理あるいは上記マニュアル加熱調理が開始され、上記選択された調理メニューあるいは上記マニュアル設定された調理条件が確定されると、数字キー１９の機能が「加熱調理動作の停止」に変更されると共に、各キー９〜１８には機能「加熱調理動作の停止」を表す表記「１/ＳＴＯＰ」〜「０/ＳＴＯＰ」が切り換え表示される。
【００６１】
この場合、上記数字キー１９の各キー９〜１８の表示画面には総て「ＳＴＯＰ」の文字が表示されている。そのため、世界中でごく一般的に使用されている英単語「ＳＴＯＰ」の意味を理解できる人であれば、各キー９〜１８は、元々表面に「ＳＴＯＰ」の文字が表示されている「ストップ/クリア」キー２５と共に、「加熱調理動作の停止」キーとして機能することが一目で理解することができる。したがって、本加熱調理器１の操作に慣れていないアルバイトやパートや外国人であっても、何れのキーが「加熱調理動作の停止」キーとして機能するのかを即座に判断することができるのである。
【００６２】
すなわち、本実施の形態によれば、加熱調理開始後における調理途中での加熱停止を、確実に且つ誰でも簡単に行うことができる加熱調理器を提供することができるのである。
【００６３】
尚、本実施の形態においては、上記数字キー１９における総てのキー９〜１８の表面に同一の文字「ＳＴＯＰ」を表示するようにしている。しかしながら、この発明はこれに限定するものではなく、各キー９〜１８の夫々に「ＳＴＯＰ」を表す異なる言語を割り当てることも可能である。例えば、
キー  ９  …  「１/停止」(日本語)
キー１０  …  「２/ＳＴＯＰ」(英語)
：    …  「３/ＡＲＲＥ^Ｔ」(フランス語)
キー１２  …  「４/ＨＡＬＴ」(ドイツ語)
：    …  「５/ＦＥＲＭＡＴＡ」(イタリア語)
：    …  「６/ＰＡＲＡＤＡ」(スペイン語)
：    …              ：
のごとく割り当てるのである。こうすれば、１０通りの言語で表示することができ、多言語圏である欧州においては特に有効である。
【００６４】
また、上記各キー９〜１８の夫々に「ＳＴＯＰ」を表す絵や記号を表示することも可能である。その場合には、幼児の場合でも、調理途中での加熱の停止を簡単に行うことができる。
【００６５】
尚、本実施の形態においては、この発明を、キャビネット２の正面の上部に設置された操作キー部３を有する加熱調理器１を例に、各キーに対する機能設定および機能表示に付いて説明している。しかしながら、操作キー部の構成は、操作キー部３の構成に限定されるものではない。
【００６６】
例えば、図６は、本実施の形態における変形例として、直方体形状のキャビネットの正面の右側あるいは左側に設置される操作キー部４１の例を示す。操作キー部４１は、各キーが主に縦に配列されている点以外は、上記実施の形態における操作キー部３と同様の機能を有している。但し、操作キー部４１では、欧州での使用を想定して、全体が英語表記になっている。
【００６７】
すなわち、上記操作キー部４１の図中上側には液晶表示部４２が設けられている。この液晶表示部４２は、操作キー部３における液晶表示部７に対応する。また、操作キー部４１の中央部には「１」から「０」までの数字が割り付けられた１０個のキー４３,４４〜４６(以下、１０個のキー４３,４４〜４６を総称して数字キー４７と言う)が、一列に配列されている。この各キー４３,４４〜４６および数字キー４７は、操作キー部３における各キー９,１０〜１８および数字キー１９に対応する。
【００６８】
また、上記操作キー部４１における「ダブル クオンティティ」キー４８は、操作キー部３における「×２/×３」キー２０に対応する。「エクスプレスデフロスト」キー４９は、操作キー部３における「エクスプレスデフロスト」キー２１に対応する。「セレクト タイム」キー５０は、操作キー部３における「セレクトタイム」キー２６に対応する。「セレクトパワー」キー５１は、操作キー部３における「セレクトパワー」キー２７に対応する。「ストップ/クリア」キー５２は、操作キー部３における「ストップ/クリア」キー２５に対応する。「スタート」キー５３、操作キー部３における「スタート」キー２４に対応する。
【００６９】
尚、図６(a)は、上記各キー４３〜４６の表面に、機能「数字入力」を表す数字「１」〜「０」が表示された状態を示す。また、図６(b)は、各キー４３〜４６の表面に、機能「加熱調理動作の停止」を表す表記「１/ＳＴＯＰ」〜「０/ＳＴＯＰ」が表示された状態を示す。
【００７０】
尚、本実施の形態においては、機能「加熱調理動作の停止」を表す表記として「１/ＳＴＯＰ」〜「０/ＳＴＯＰ」を用いているが、この表記が表示される時点では選択された調理メニューあるいはマニュアル設定された上記調理条件が確定されており、数字キー１９,４７は数字入力機能を有してはいない。そこで、機能「加熱調理動作の停止」を表す表記として「ＳＴＯＰ」を用いても構わない。
【００７１】
・第２実施の形態
ところで、上記第１実施の形態における加熱調理器１においては、ある数字キー１９の押圧回数に応じて調理メニューが選択されるようにしている。そこで、調理メニューが確定する前には数字キー１９の再度の押圧を可能にするために、上述のように、加熱調理器１の動作状態が「調理メニューあるいは上記調理条件の確定」になると、数字キー１９の機能を「加熱調理動作の停止」に変更するようにしている。
【００７２】
ところが、その場合には、加熱調理器１の動作状態が「調理メニューあるいは上記調理条件の確定」となる前の異常には、対処できないことになる。
【００７３】
本実施の形態は、加熱調理器の動作状態が「調理メニューの確定」となる前の異常にも対処できるようにしたものである。
【００７４】
ここで、本実施の形態における加熱調理器の構成および処理動作は、上記第１実施の形態における加熱調理器１の場合と同様である。そこで、上記第１実施の形態の加熱調理器１と同じ部材には同じ番号を付して、詳細な説明は省略する。
【００７５】
図７は、本実施の形態における加熱調理器の動作状態が「メモリ加熱調理の開始」である場合の操作キー部の表示例を示す。但し、図７(a)は、キャビネットの正面の上部に設置された図２と同じ操作キー部である。以下、この操作キー部を操作キー部３と言う。また、図７(b)は、キャビネットの正面の右側あるいは左側に設置された図６と同じ操作キー部である。以下、この操作キー部を操作キー部４１と言う。何れの操作キー部３,４１の場合も、初期機能を表す表記での表示は、上記第１実施の形態の場合(図４(a)および図６(a))と同様である。
【００７６】
本実施の形態においては、図７に示すように、上記第１実施の形態における図４および図６に示す数字キー１９,４７の各キー９〜１８,４３〜４６および「ストップ/クリア」キー２５,５２の表示に加えて、「ストップ/クリア」キー２５,５２の「ＳＴＯＰ」の表示領域にストップランプａを設ける一方、数字キー１９,４７の各キー９〜１８,４３〜４６の「ＳＴＯＰ」の表示領域にはストップランプｂを設けている。そして、ストップランプａあるいはストップランプｂが点灯している場合に、点灯しているキーが「加熱調理動作の停止」キーとして機能するようになっている。
【００７７】
以下、図７(a)に示すキャビネットの正面の上部に設置された操作キー部３の場合を例に上げて、本実施の形態を説明する。
【００７８】
ここで、本実施の形態においては、上記「メモリ加熱調理」の場合と、上記「マニュアル加熱調理」の場合とで、各キーの表示動作は異なっている。
【００７９】
先ず、加熱調理器の動作状態が「メモリ加熱調理の開始」の場合には、図４(b)と同様に、各キー９〜１８の表面に「１/ＳＴＯＰ」〜「０/ＳＴＯＰ」が切り換え表示される。それと同時に、「ストップ/クリア」キー２５のストップランプａのみが点灯される。こうして、「ストップ/クリア」キー２５のみが「加熱調理動作の停止」キーとして機能することを表示するのである。この場合、ストップランプｂは点灯せず、上記選択された調理メニューが確定される前であるため数字キー１９は「加熱調理動作の停止」キーとして機能することはなく、再度数字キー１９を押圧すると調理メニューが変更可能であることを表示している。
【００８０】
そして、上記加熱調理器の動作状態が「選択された調理メニューの確定」の場合には、数字キー１９の各キー９〜１８のストップランプｂも点灯される。こうして、上記選択された調理メニューが確定されたために、数字キー１９も「加熱調理動作の停止」キーとして機能することを表示している。
【００８１】
これに対し、上記加熱調理器の動作状態が「マニュアル加熱調理の開始」の場合には、図４(b)と同様に、「１/ＳＴＯＰ」〜「０/ＳＴＯＰ」が対応するキー９〜１８の表面に切り換え表示される。それと同時に、「ストップ/クリア」キー２５のストップランプａおよび数字キー１９の各キー９〜１８のストップランプｂが共に点灯される。こうして、数字キー１９および「ストップ/クリア」キー２５が、共に「加熱調理動作の停止」キーとして機能することを表示するのである。
【００８２】
図７(b)に示すキャビネットの正面の右側あるいは左側に設置された操作キー部４１の場合も、表示動作は操作キー部３の場合と同様である。
【００８３】
すなわち、本実施の形態においては、上記ストップランプａ,ｂで、上記特許請求の範囲の上記表示部を構成しているのである。
【００８４】
ここで、上記「ストップ/クリア」キー２５,５２のストップランプａおよび数字キー１９,４７の各キー９〜１８,４３〜４６のストップランプｂは、各キーの表面に形成された液晶表示画面に設けられた１つの表示領域で構成してもよいし、上記液晶表示画面に埋め込まれたＬＥＤ(発光ダイオード)ランプ等で構成してもよい。
【００８５】
以上のごとく、本実施の形態においては、上記数字キー１９,４７から選択された調理メニューが確定される前には、「ストップ/クリア」キー２５,５２のみが「加熱調理動作の停止」キーとして機能することを表示する一方、上記選択された調理メニューが確定された後には、数字キー１９,４７および「ストップ/クリア」キー２５,５２が共に「加熱調理動作の停止」キーとして機能することを表示するようにしている。したがって、上記選択された調理メニューが確定される前であっても、「ストップ/クリア」キー２５,５２のみが「加熱調理動作の停止」キーとして機能することが、ストップランプａの点灯によって一目で分かるのである。
【００８６】
尚、上記第２実施の形態においては、上記「加熱調理動作の停止」キーとして機能しているキーが一目で分かるようにするために、各キーにおける「ＳＴＯＰ」の表示領域にストップランプａ,ｂを設けている。しかしながら、この発明はこれに限定されるものではなく、「加熱調理動作の停止」キーとして機能しているキーの機能表示面の地の部分を点滅させたり地の色を変化させたりすることによって、「加熱調理動作の停止」キーとして機能していることを強調してもよい。
【００８７】
また、上記各実施の形態においては、上記メモリ加熱調理時の調理メニューあるいは上記マニュアル加熱調理時の上記調理条件が確定された後に、上記数字キー１９,４７のみに「加熱調理動作の停止」機能を持たせるようにしている。しかしながら、この発明は数字キー１９,４７に限定されるものではなく、他のキーや、「スタート」キー２４,５３および「ストップ/クリア」キー２５,５２を除く総てのキーに、「加熱調理動作の停止」機能を持たせるようにしても一向に差し支えない。要は、上記調理メニューあるいは上記調理条件が確定された後に操作されることがないキーであれば、「加熱調理動作の停止」機能を持たせるが可能なのである。その場合、複数のキーのうちの半数を超えるキーの機能を「加熱調理動作の停止」機能に変更するのが望ましい。
【００８８】
さらに、上記「スタート」キー２４,５３および「ストップ/クリア」キー２５,５２を除く総てのキーに「加熱調理動作の停止」機能を持たせる場合には、殆ど全部のキーの機能が変更されるので、必ずしも上記表示部に変更された機能を表す表記を表示する必要はない。
【００８９】
また、上記各実施の形態においては、上記メモリ加熱調理時に、数字キー１９,４７で調理メニューを選択すると自動的に加熱処理動作が開始されるようにしているが、「スタート」キー２４,５３を押圧して調理メニューを確定しないと加熱処理動作が開始しないようにしても構わない。その場合には、「スタート」キー２４,５３を押圧して加熱処理動作が開始されると、数字キー１９,４７の各キー９〜１８,４３〜４６の機能を「加熱調理動作の停止」に変更する必要がある。
【００９０】
また、上記各実施の形態においては、上記操作部を、操作キー部３,４１に設けられた複数のキーの夫々で構成している。しかしながら、この発明はこれに限定されるものではなく、表面に表示部を設けた押しボタンや、タッチパネルの個々のタッチ部で構成しても差し支えない。
【符号の説明】
【００９１】
１…加熱調理器、
２…キャビネット、
３,４１…操作キー部、
８…制御部、
９〜１８,４３〜４６…キー、
１９,４７…数字キー、
２４,５３…「スタート」キー、
２５,５２…「ストップ/クリア」キー、
２６,５０…「セレクトタイム」キー、
２７,５１…「セレクトパワー」キー、
３１…ＣＰＵ、
３２…ＲＯＭ、
３３…ＲＡＭ、
３４…マグネトロン駆動部、
３６…キー機能記憶部、
３７…機能表記記憶部、
３８…調理メニュー記憶部、
３９…作業メモリ。